(57)【要約】【課題】  消音器を装着して吹奏したときに放音される音量を調節することができる消音器を提供する。【解決手段】  本体部１０の胴部１１の小径側端１１ｂ近傍には胴部１１の軸周りの方向に回転可能な回転部材３０が設けられている。固定部２０の本体側部２１は胴部１１の外壁に固定されており、固定部２０の回転部材側部２２は回転部材３０の外壁に固定されている。回転部材３０の回転に伴い回転部材側部２２は移動し、本体側部２１と回転部材側部２２とを連結する連結部２３は伸縮する。このため、固定部２０における胴部１１の軸周りの方向の長さが変わる。これにより、本体部１０とベルとの間における閉塞される部分の断面積が変わる。すなわち、本体部１０とベルとの間に形成される隙間の断面積が変わる。その結果、放音される音量が変わる。【選択図】図１
2015075667.tif 000002
【特許請求の範囲】
【請求項１】
管楽器のベルに挿入される本体部と、
前記ベルに挿入された前記本体部と前記ベルの内壁との間に前記ベル内の空間と前記ベル外の空間とを連通させる隙間を一部形成しつつ、前記本体部と前記ベルとの間を閉塞させる固定部と、
前記隙間の断面積を変える断面積可変手段と、
を具備することを特徴とする消音器。
【請求項２】
前記断面積可変手段は、
前記本体部を内側に収容して前記本体部の軸周りの方向に回転可能な回転部材を有し、
前記固定部は、前記本体部の軸周りの方向に並んだ複数の部材であって、各々の間に前記隙間を形成する複数の部材により構成されており、
前記固定部の各部材は、
前記回転部材に固定される第１の固定部と、
前記本体部の外壁に固定される第２の固定部と、を有し、
前記第２の固定部に対して前記第１の固定部を前記本体部の軸周りの方向または前記本体部の軸方向に配置したことを特徴とする請求項１に記載の消音器。
【請求項３】
前記固定部の各部材は、
前記第２の固定部に対して前記第１の固定部が前記本体部の軸周りの方向に配置されており、
伸縮自在な部材からなる伸縮部であって、前記本体部の軸周りの方向の一端において前記第１の固定部に接続され、かつ、他端において前記第２の固定部に接続された伸縮部をさらに有することを特徴とする請求項２に記載の消音器。
【請求項４】
前記固定部の各部材は、
前記第１の固定部と前記第２の固定部とに分離されており、かつ、前記第２の固定部に対して前記第１の固定部が前記本体部の軸方向に隣接しており、
前記回転部材の回転により前記固定部の各々の前記第２の固定部に対して前記固定部の各々の前記第１の固定部が前記本体部の軸周りの方向にずれることを特徴とする請求項２に記載の消音器。
【請求項５】
前記固定部は、前記本体部の軸周りの方向に並んだ複数の部材であって、各々の間に前記隙間を形成する複数の部材により構成されており、
前記断面積可変手段は、
伸縮自在な部材からなる伸縮部を有し、
前記固定部の各部材間に前記伸縮部を設けたことを特徴とする請求項１に記載の消音器。
【請求項６】
前記本体部は、前記本体部の外壁に前記本体部に対して前記固定部を着脱させるための結合部を有し、
前記固定部は、
前記本体部の軸周りの方向に並んだ複数の固定部本体であって、各々の間に前記隙間を形成する複数の固定部本体と、
前記固定部本体の各々を連結するベースと、
前記本体部の前記結合部に対応する結合部と、を有し、
前記断面積可変手段として、前記固定部本体の各部材の間隔が異なる複数種の前記固定部が用意され、
複数種の前記固定部の中から選択した前記固定部を前記本体部に取り付けたことを特徴とする請求項１に記載の消音器。
【発明の詳細な説明】
【技術分野】
【０００１】
この発明は、消音器に関する。
【背景技術】
【０００２】
トランペットなどの管楽器の音量を少なくする目的で使用される消音器がある。例えば、特許文献１に開示されている消音器は、管楽器のベルの内壁に沿って前端である大径側端から後端である小径側端に向かって外径が小さくなっている略円錐管形状の胴部を有している。そして、この胴部の小径側端近傍の外壁に、胴部の前後方向に沿った窪みが設けられている。この窪みは、消音器を装着して吹奏したときの呼気を消音器外に排出する呼気排出路として機能している。この消音器では、消音器を装着して吹奏したときにベル内に生じる音も、この窪み内を通って消音器外に放音される。
【先行技術文献】
【特許文献】
【０００３】
【特許文献１】特許第４１２４２３６号公報
【発明の概要】
【発明が解決しようとする課題】
【０００４】
ところで、消音器を装着して吹奏したときに放音される音量を調節したいという要求がある。例えば、深夜に消音器を装着して吹奏する場合には、放音される音量を極力小さくする一方、隣人が留守にしているときに消音器を装着して吹奏する場合には、放音される音量を大きくしたい、といった具合である。
【０００５】
特許文献１に開示されている消音器は、胴部の外壁に設けられた窪み内を通って放音されるため、消音器を装着して吹奏したときに放音される音量は、この窪みの断面積に依存する。従って、この消音器では、消音器を装着して吹奏したときに放音される音量を調節することは非常に困難である。
【０００６】
この発明は以上のような事情に鑑みてなされたものであり、消音器を装着して吹奏したときに放音される音量を調節することができる消音器を提供することを目的としている。
【課題を解決するための手段】
【０００７】
この発明は、管楽器のベルに挿入される本体部と、前記ベルに挿入された前記本体部と前記ベルの内壁との間に前記ベル内の空間と前記ベル外の空間とを連通させる隙間を一部形成しつつ、前記本体部と前記ベルとの間を閉塞させる固定部と、前記隙間の断面積を変える断面積可変手段と、を具備することを特徴とする消音器を提供する。
【０００８】
この発明によれば、ベルに挿入された本体部とベルの内壁との間にベル内の空間とベル外の空間とを連通させる隙間が一部形成され、その隙間の断面積が断面積可変手段によって変えられる。このため、この隙間を通ってベル内からベル外へ放音される音の量が変わる。従って、消音器を装着して吹奏したときに放音される音量を調節することができる。
【０００９】
好ましい態様において、前記断面積可変手段は、前記本体部を内側に収容して前記本体部の軸周りの方向に回転可能な回転部材を有し、前記固定部は、前記本体部の軸周りの方向に並んだ複数の部材であって、各々の間に前記隙間を形成する複数の部材により構成されており、前記固定部の各部材は、前記回転部材に固定される第１の固定部と、前記本体部の外壁に固定される第２の固定部と、を有し、前記第２の固定部に対して前記第１の固定部を前記本体部の軸周りの方向または前記本体部の軸方向に配置したことを特徴とする消音器を提供する。
【００１０】
この態様によれば、固定部の各部材は、回転部材に固定される第１の固定部と本体部の外壁に固定される第２の固定部を有しており、第１の固定部は、第２の固定部に対して本体部の軸周りの方向または本体部の軸方向に配置されている。回転部材を本体部の軸周りの方向に回転させたとき、回転部材に固定される第１の固定部は当該回転方向に回転する一方、本体部の外壁に固定される第２の固定部は回転しない。このため、回転部材を回転することは、固定部の各部材における本体部の軸周りの方向の長さを変えることと等価になる。従って、回転部材の回転により、本体部とベルとの間における閉塞される部分の断面積が変わり、固定部の各部材の間に形成されるベル内の空間とベル外の空間とを連通させる隙間の断面積が変わる。この隙間を通ってベル内からベル外へ放音される音の量が変わるため、消音器を装着して吹奏したときに放音される音量を調節することができる。
【００１１】
より好ましい態様において、前記固定部の各部材は、前記第２の固定部に対して前記第１の固定部が前記本体部の軸周りの方向に配置されており、伸縮自在な部材からなる伸縮部であって、前記本体部の軸周りの方向の一端において前記第１の固定部に接続され、かつ、他端において前記第２の固定部に接続された伸縮部をさらに有することを特徴とする消音器を提供する。
【００１２】
この態様によれば、固定部の各部材の伸縮部は、本体部の軸周りの方向の一端において回転部材に固定された第１の固定部に接続されており、他端において本体部の外壁に固定された第２の固定部に接続されている。このため、回転部材を本体部の軸周りの方向に回転すると、伸縮部は、その方向に伸縮する。これにより、固定部の各部材における本体部の軸の周りの方向の長さが変わる。従って、固定部の各部材の間に形成されるベル内の空間とベル外の空間とを連通させる隙間の断面積が変わる。この隙間を通ってベル内からベル外へ放音される音の量が変わるため、消音器を装着して吹奏したときに放音される音量を調節することができる。
【００１３】
より好ましい態様において、前記固定部の各部材は、前記第１の固定部と前記第２の固定部とに分離されており、かつ、前記第２の固定部に対して前記第１の固定部が前記本体部の軸方向に隣接しており、前記回転部材の回転により前記固定部の各々の前記第２の固定部に対して前記固定部の各々の前記第１の固定部が前記本体部の軸周りの方向にずれることを特徴とする消音器を提供する。
【００１４】
この態様によれば、回転部材に固定されている各々の第１の固定部と本体部の外壁に固定されている各々の第２の固定部とは、本体部の軸方向に隣接している。回転部材を本体部の軸周りの方向に回転すると、第１の固定部の各部材は、第２の固定部の各部材に対してその方向にずれる。すなわち、固定部の各部材における本体部の軸周りの方向の長さを変えたことと等価になる。これにより、固定部の各部材の間に形成されるベル内の空間とベル外の空間を連通させる隙間の断面積が、第１の固定部と第２の固定部との境界において変わる。この隙間を通ってベル内からベル外へ放音される音の量が変わるため、消音器を装着して吹奏したときに放音される音量を調節することができる。
【００１５】
好ましい態様において、前記固定部は、前記本体部の軸周りの方向に並んだ複数の部材であって、各々の間に前記隙間を形成する複数の部材により構成されており、前記断面積可変手段は、伸縮自在な部材からなる伸縮部を有し、前記固定部の各部材間に前記伸縮部を設けたことを特徴とする消音器を提供する。
【００１６】
この態様によれば、固定部の各部材間に伸縮自在な伸縮部が設けられている。固定部の各部材間に設けられた伸縮部が伸縮することにより、固定部の各部材の間隔が変わる。従って、伸縮部が伸縮することにより、固定部の各部材間に形成されるベル内の空間とベル外の空間とを連通させる隙間の断面積が変わる。この隙間を通ってベル内からベル外へ放音される音の量が変わるため、消音器を装着して吹奏したときに放音される音量を調節することができる。
【００１７】
好ましい態様において、前記本体部は、前記本体部の外壁に前記本体部に対して前記固定部を着脱させるための結合部を有し、前記固定部は、前記本体部の軸周りの方向に並んだ複数の固定部本体であって、各々の間に前記隙間を形成する複数の固定部本体と、前記固定部本体の各々を連結するベースと、前記本体部の前記結合部に対応する結合部と、を有し、前記断面積可変手段として、前記固定部本体の各部材の間隔が異なる複数種の前記固定部が用意され、複数種の前記固定部の中から選択した前記固定部を前記本体部に取り付けたことを特徴とする消音器を提供する。
【００１８】
この態様によれば、固定部本体の各部材の間隔が異なる複数種の固定部が用意されている。複数種の固定部の中から選択された固定部が本体部に取り付けられることにより、固定部本体の各部材の間隔が変わる。従って、固定部の各部材の間に形成されるベル内の空間とベル外の空間とを連通させる隙間の断面積が変わる。この隙間を通ってベル内からベル外へ放音される音の量が変わるため、消音器を装着して吹奏したときに放音される音量を調節することができる。
【図面の簡単な説明】
【００１９】
【図１】この発明の第１実施形態による消音器１の構成を示す側面図、背面図および斜視図である。
【図２】同消音器１の構成を示す組み立て図である。
【図３】同消音器１における回転部材３０を回転させて固定部２０における胴部１１の軸周りの方向の長さを最も長くしたときの同消音器１の構成を示す側面図、背面図および斜視図である。
【図４】この発明の第２実施形態による消音器１Ａの構成を示す側面図および背面図である。
【図５】この発明の第３実施形態による消音器１Ｂの構成を示す側面図および背面図である。
【図６】この発明の第４実施形態による消音器１Ｃの本体部１０Ｃの構成を示す側面図、同消音器１Ｃの背面図および同消音器１Ｃの固定部２０Ｃの上面図である。
【発明を実施するための形態】
【００２０】
以下、図面を参照し、この発明の実施形態について説明する。
＜第１実施形態＞
本実施形態による消音器１は、トランペット用の消音器である。以下、本明細書では、トランペットの中心からマウスピースに向かう方向を後方と呼び、トランペットの中心からベルに向かう方向を前方と呼ぶ。図１（Ａ）は、この発明の第１実施形態による消音器１の構成を示す側面図であり、図１（Ｂ）は、後方から同消音器１を見たときの同消音器１の構成を示す背面図であり、図１（Ｃ）は、斜め後方から同消音器１を見たときの同消音器１の構成を示す斜視図である。また、図２は、同消音器１の構成を示す組み立て図である。図１および２に示すように、消音器１は、本体部１０と、固定部２０と、回転部材３０とを有する。本体部１０は、胴部１１と底部１２とから構成されている。
【００２１】
胴部１１は、胴部１１の内側に空洞を有する略円錐管形状の中空の管体である。胴部１１は、前端である大径側端１１ａから後端である小径側端１１ｂに向かってトランペットのベルの内壁に沿うようにして外径および内径が小さくなっている。ここで、管楽器（トランペット）におけるベルとは、音量を増大させるために管楽器の管の径が徐々に広げられた呼気の排出口付近の部分のことを言う。また、後端である小径側端１１ｂは、開口しており、開口端となっている。
【００２２】
底部１２は、椀状をなしている。底部１２は、その外面が外側方向（前方）に突出する凸曲面となるように湾曲している湾曲部１２ａと、外径が一定である筒状部１２ｂとから構成されている。湾曲部１２ａの縁の部分は筒状部１２ｂの一端に連続している。湾曲部１２ａの突出している中央部分は、胴部１１の回転軸（以下、単に軸という）近傍に位置している。筒状部１２ｂにおける湾曲部１２ａに連続している端の反対側の端（底部１２の縁の部分）は、胴部１１の大径側端１１ａと接着剤等により接合している。底部１２は、胴部１１の前端である大径側端１１ａを閉塞する閉塞部として機能し、大径側端１１ａは閉塞端となっている。
【００２３】
小径側端１１ｂに至る小径側端１１ｂ近傍の胴部１１の外壁には、その外径が少し小さくなるように浅い溝１３が設けられている。溝１３は、胴部１１の軸の周りに亙って設けられている。また、小径側端１１ｂ近傍の胴部１１の外壁には、この溝１３における小径側端１１ｂの反対側の端から胴部１１の大径側端１１ａ方向に向かう複数の浅い溝１４が設けられている。この溝１４は、側面から見たときに台形となる形状であり、平面上に展開したときに扇形となる形状をなしている。溝１４の深さは、溝１３の深さと同程度である。また、溝１４は、胴部１１の軸周りの方向の１２０度毎に各々設けられている。そして、溝１４と溝１４が設けられていない通常部１５とが、胴部１１の軸の周りに沿って交互に繰り返されている。
【００２４】
回転部材３０は、筒状部３１と羽根部３２とから構成されている。筒状部３１は、略円錐管形状をなしている。筒状部材３１は、その大径側端から小径側端に向かってベルの内壁に沿うようにして外径および内径が小さくなっている。筒状部３１の回転軸（以下、単に軸という）方向の長さは、胴部１１の溝１３における軸方向の長さと同程度である。筒状部３１の内径は、胴部１１の溝１３の部分における胴部１１の外径よりも若干大きくなっている。筒状部３１の厚さは、溝１３の深さと同程度である。
【００２５】
回転部材３０の羽根部３２は、湾曲している板状の部材である。羽根部３２は、側面から見たときに台形となる形状であり、平面上に展開したときに扇形となる形状をなしている。羽根部３２は、筒状部３１の軸周りの方向の１２０度毎に各々配置されている。そして、羽根部３２における側面から見たときに台形の上底となる部分が、筒状部３１の大径側端に接続されている。このとき、羽根部３２は、その凸曲面が筒状部３１の外面に連続するように接続されている。また、羽根部３２は、筒状部３１に接続されている端から反対側の端に向かうに従って、ベルの内壁に沿うようにして筒状部３１の軸から遠ざかる方向に広がっている。羽根部３２における筒状部３１の軸方向の長さは、胴部１１の溝１４部分の軸方向の長さと同程度である。羽根部３２における筒状部３１の軸周りの方向の長さ（すなわち羽根部３２の幅）は、胴部１１の溝１４部分の軸周りの方向の長さ（すなわち溝１４の幅）よりも短くなっている。羽根部３２の厚さは、溝１４の深さと同程度である。
【００２６】
回転部材３０は、本体部１０を内側に収容している。より詳細には、回転部材３０の筒状部３１は胴部１１の溝１３の上に重なっており、回転部材３０の羽根部３２は胴部１１の溝１４内に収容されている。また、回転部材３０の回転軸（以下、単に軸という）は、胴部１１の軸と重なっている。このため、回転部材３０は、胴部１１の外壁上において胴部１１に対して胴部１１の軸周りの方向に回転可能である。回転部材３０を回転させると、羽根部３２は、溝１４内において胴部１１の軸周りの方向（溝１４の幅方向）に移動する。そして、回転部材３０の回転量を大きくすると、羽根部３２は、溝１４と通常部１５との境界における段差に引っ掛かって止まる。すなわち、溝１４の幅寸法と羽根部３２の幅寸法により回転部材３０の回転可能範囲が決定される。
【００２７】
固定部２０は、胴部１１の軸周りの方向に複数個並べられている。固定部２０は、Ｕ字形のブロック状をなしている。固定部２０は、本体側部２１、回転部材側部２２および連結部２３から構成される。本体側部２１、回転部材側部２２および連結部２３は、各々、胴部１１の軸周りの方向に配置されている。より詳細には、後方から固定部２０を見たときに、本体側部２１に対して時計回り方向に連結部２３が配置され、さらにその連結部２３に対して時計回り方向に回転部材側部２２が配置されている。本体側部２１および回転部材側部２２は、湾曲しているブロック状部材である。本体側部２１および回転部材側部２２は、例えば、コルクや硬めのスポンジゴムなど、あまり伸縮せず、適度な硬度と摩擦性能を有する柔軟な素材により形成される。本体側部２１は、その凸曲面が外側となるようにして、胴部１１の通常部１５の外壁に固定されている。一方、回転部材側部２２は、その凸曲面が外側となるようにして、回転部材３０の羽根部３２の外壁に固定されている。連結部２３は、例えば、スポンジゴムなど、容易に伸縮する柔軟な素材により形成される。連結部２３は、胴部１１の軸周りの方向の一端において回転部材３０に固定されている回転部材側部２２に接続されており、かつ、他端において胴部１１に固定されている本体側部２１に接続されている。また、本体側部２１、回転部材側部２２および連結部２３の各々における胴部１１の軸から遠ざかる方向の長さ（すなわち本体側部２１の高さ、回転部材側部２２の高さおよび連結部２３の高さ）は、同程度である。なお、固定部２０は、胴部１１の軸周りの方向の１２０度毎に３個設けられているが、固定部２０の数および配置はこれに限られない。胴部１１の溝１４、胴部１１の通常部１５および回転部材３０の羽根部３２の各々における数およびそれらの配置についても同様である。
【００２８】
固定部２０の本体側部２１は、胴部１１の通常部１５に固定されているため、回転部材３０を回転させても回転部材３０とともに移動しない。一方、固定部２０の回転部材側部２２は、回転部材３０の羽根部３２に固定されているため、回転部材３０の回転に伴って、羽根部３２とともに胴部１１の軸周りの方向に移動する。また、本体側部２１と回転部材側部２２とを連結する連結部２３は、回転部材３０の回転に伴って、胴部１１の軸周りの方向に伸縮する。このため、回転部材３０を回転させることにより、固定部２０における胴部１１の軸周りの方向の長さ（すなわち固定部２０の幅）を変えることができる。一方、固定部２０における胴部１１の軸から遠ざかる方向の長さ（すなわち固定部２０の高さ）は、回転部材３０を回転させても変わらない。
【００２９】
また、本体部１０と回転部材３０との間（例えば、胴部１１の溝１４と回転部材３０の羽根部３２との間など）には、回転させた回転部材３０の位置（回転角度）を保持する機構（例えば、ラチェット機構）が設けられている（図示略）。これにより、固定部２０の連結部が縮もうとする力に抗して回転部材３０の位置（回転角度）を保持することができる。
【００３０】
消音器１をトランペットのベル内に挿入すると、固定部２０における本体側部２１、回転部材側部２２および連結部２３の各々の外壁がベルの内壁に当接し、本体部１０はベルに固定される。固定部２０における本体側部２１、回転部材側部２２および連結部２３の各々は、本体部１０とベルとの間を閉塞させる。しかし、各固定部２０同士は接触していないため、隣り合う固定部２０と本体部１０とベルとにより隙間が形成される。すなわち、固定部２０は、本体部１０とベルとの間にベル内の空間とベル外の空間とを連通させる隙間を一部形成しつつ本体部とベルとの間を閉塞させている。ここで、ベル内の空間とは、消音器の装着により当該消音器によって閉塞された管楽器（トランペット）の内側の空間のことを言い、ベル外の空間とは、同管楽器の外側の空間のことを言う。ベル内の空間とベル外の空間とを連通させる隙間は、消音器１を装着して吹奏したときの呼気をベル内からベル外に排気するとともに、ベル内に生じる音をベル内からベル外に放音する役割を担う。
【００３１】
図１は、後方から消音器１を見たときにおける反時計回り方向に回転部材３０を最大限に回転させた場合を示している。このとき、回転部材３０の羽根部３２は、胴部１１の溝１４に対して反時計回り方向に隣接する通常部１５と当該溝１４との間の境界部分の段差に当接する。そして、回転部材３０を回転させたときの各状態に比べ、この状態における連結部２３は最も縮まり、この状態における固定部２０の幅は最も小さくなる。
【００３２】
この状態（すなわち図１に示す状態）で本体部１０をベルに固定した場合、固定部２０の幅が最も小さいため、本体部１０とベルとの間における閉塞される部分の断面積が最も小さくなる。一方、各固定部２０の間隔は最も大きくなる。このため、隣り合う固定部２０と本体部１０とベルとにより形成される隙間の断面積は最も大きくなる。この場合、この隙間を通過する音が多くなるため、大きな音量の音が消音器１外に放音されることになる。換言すると、この場合、消音器１の弱音の度合いは小さくなる。
【００３３】
一方、図３は、後方から消音器１を見たときにおける時計回り方向に回転部材３０を最大限に回転させた場合の消音器１の構成を示す側面図、背面図および斜視図である。このとき、回転部材３０の羽根部３２は、胴部１１の溝１４に対して時計回り方向に隣接する通常部１５と当該溝１４との間の境界部分の段差に当接する。そして、回転部材３０を回転させたときの各状態に比べ、この状態における連結部２３は最も伸び、この状態における固定部２０の幅は最も大きくなる。また、このように固定部２０の幅が最も大きくなっても、隣り合う固定部２０同士は互いに接触しない。
【００３４】
この状態（すなわち図３に示す状態）で本体部１０をベルに固定した場合、固定部２０の幅が最も大きいため、本体部１０とベルとの間における閉塞される部分の断面積が最も大きくなる。一方、各固定部２０の間隔は最も小さくなる。このため、隣り合う固定部２０と本体部１０とベルとにより形成される隙間の断面積は最も小さくなる。この場合、この隙間を通過する音が少なくなるため、小さな音量の音が消音器１外に放音されることになる。換言すると、この場合、消音器１の弱音の度合いは大きくなる。なお、本体部１０とベルとの間に形成されるすべての隙間の断面積を合計した総断面積は、マウスピースの最小断面積以上にすることが好ましい。
【００３５】
回転部材３０は、溝１４内において羽根部３２が移動することができる範囲内における各位置に保持され得る。このため、羽根部３２に固定されている固定部２０の回転部材側部２２も、羽根部３２の移動に伴って、同範囲内における各位置に保持され得る。これにより、固定部２０は、回転部材３０を反時計回り方向に最大限に回転させたときの固定部２０の幅寸法と回転部材３０を時計回り方向に最大限に回転させたときの固定部２０の幅寸法との間の範囲における固定部２０の各幅寸法をとり得る。すなわち、消音器１が装着されたときにおける隣り合う固定部２０と本体部１０とベルとにより形成される隙間は、回転部材３０を反時計回り方向に最大限に回転させたときの同隙間の断面積と、回転部材３０を時計回り方向に最大限に回転させたときの同隙間の断面積との間の範囲における同隙間の各断面積をとり得る。そして、回転部材３０の反時計回り方向の回転量を多くするに従って同隙間の断面積が大きくなり、放音される音量が大きくなり、消音器１の弱音の度合いが小さくなる。反対に、回転部材３０の時計回り方向の回転量を多くするに従って同隙間の断面積が小さくなり、放音される音量が小さくなり、消音器１の弱音の度合いが大きくなる。
【００３６】
このように、回転部材３０を回転させることにより、固定部２０を伸縮させて、ベル内の空間とベル外の空間とを連通させる隙間の断面積を変化させることができる。すなわち、回転部材３０は、その隙間の断面積を変える断面積可変手段である。
以上が、消音器１の構成である。
【００３７】
次に、本実施形態による消音器１の使用態様を説明する。まず、消音器１を装着して吹奏したときに放音される音量を小さくしたい場合について説明する。ユーザ（吹奏者）は、消音器１における回転部材３０の筒状部３１の外壁を掴み、掴んだ筒状部３１を後方から消音器１を見たときにおける時計回り方向に回転させる。このとき、音量をより小さくしたい場合には、筒状部３１の時計回り方向の回転量を多くする。筒状部３１を時計回り方向に回転させることにより、羽根部３２も同様に回転し、羽根部３２に固定されている固定部２０の回転部材側部２２が時計回り方向に移動する。そして、固定部２０における胴部１１の軸周りの方向の長さが長くなる（固定部２０の幅が大きくなる）。このとき、回転させた回転部材３０の位置（回転角度）は保持される。回転部材３０を回転させた後、ユーザは、消音器１をトランペットに装着する。そして、消音器１を装着したトランペットを吹奏すると、回転部材３０の位置（回転角度）に従った小さな音量の音が放音される。
【００３８】
一方、消音器１を装着して吹奏したときに放音される音量を大きくしたい場合、ユーザは、掴んだ筒状部材３１を反時計回りに回転させれば良い。このとき、音量をより大きくしたい場合には、筒状部３１の反時計回り方向の回転量を多くする。筒状部材３１を反時計回り方向に回転させることにより、羽根部３２も同様に回転し、羽根部３２に固定されている固定部２０の回転部材側部２２が反時計回り方向に移動する。そして、固定部２０における胴部１１の軸周りの方向の長さが短くなる（固定部２０の幅が小さくなる）。このとき、回転させた回転部材３０の位置（回転角度）は保持される。回転部材３０を回転させた後、ユーザは、消音器１をトランペットに装着する。そして、消音器１を装着したトランペットを吹奏すると、回転部材の位置（回転角度）に従った大きな音量の音が放音される。
【００３９】
このように、本実施形態による消音器１は、本体部１０と、本体部１０の外壁とベルの内壁との間を閉塞させる固定部２０と、本体部１０を内側に収容して本体部１０の軸周りの方向に回転可能な回転部材３０とを有している。固定部２０は、本体部の軸周りの方向に複数個並べられており、各固定部２０の間にベル内の空間とベル外の空間とを連通させる隙間を形成する。各固定部２０は、回転部材３０に固定される回転部材側部２２と、胴部１１に固定される本体側部２１と、伸縮自在な連結部２３とを有し、これら各部は、胴部１１の軸周りの方向に配置されている。連結部２３は、胴部１１の軸周りの方向の一端において回転部材側部２２に接続され、かつ、他端において本体側部２１に接続されている。このため、回転部材３０の回転により、連結部２３が胴部１１の軸周りの方向に伸縮し、固定部２０における本体部１０の軸周りの方向の長さ（すなわち固定部２０の幅）が変わる。固定部２０の幅が変わるため、本体部１０とベルとの間における閉塞される部分の断面積が変わる。これにより、各固定部２０と本体部１０とベルとの間に形成される隙間の断面積が変わる。この隙間の断面積が変わることにより、この隙間を通過する音の量が変わる。従って、本発明の消音器１では、回転部材３０を回転した後にトランペットに装着することにより、消音器１を装着して吹奏したときに放音される音量を調節することができる。換言すると、消音器１の弱音の度合いを調節することができる。
【００４０】
＜第２実施形態＞
図４（Ａ）および（Ｃ）は、この発明の第２実施形態による消音器１Ａの構成を示す側面図であり、図４（Ｂ）および（Ｄ）は、後方から同消音器１Ａを見たときの同消音器１Ａの構成を示す背面図である。本実施形態による消音器１Ａは、本体部１０に代えて本体部１０Ａとし（より具体的には胴部１１に代えて胴部１１Ａとし）、回転部材３０に代えて回転部材３０Ａとし、固定部２０に代えて固定部２０Ａとした点で第１実施形態による消音器１と異なる。本実施形態における固定部２０Ａは、第１固定部２０Ａ１と第２固定部２０Ａ２とから構成されている。本実施形態による消音器１Ａは、第２固定部２０Ａ２に対して第１固定部２０Ａ１を回転させることにより、ベル内の空間とベル外の空間とを連通させる隙間の断面積を胴部１１Ａの軸の途中の位置において可変としたものである。
【００４１】
本体部１０Ａの胴部１１Ａは、小径側端１１Ａｂ近傍の胴部１１Ａの外壁に溝１３および１４に代えて溝１３Ａを有する点で第１実施形態による消音器１の胴部１１と異なる。
【００４２】
溝１３Ａは、胴部１１Ａの軸の周りに亙る浅い溝である。また、溝１３Ａは、小径側端１１Ａｂから少し大径側端１１Ａａ方向に移動した位置における胴部１１Ａの外壁に設けられている。
【００４３】
回転部材３０Ａは、本体部１０Ａを内側に収容する筒状の部材である。また、回転部材３０Ａは、溝１３Ａに収容されるように配置されている。回転部材３０Ａの軸は胴部１１Ａの軸と重なっている。回転部材３０Ａは、溝１３Ａ内において胴部１１Ａの軸周りの方向に回転可能である。また、溝１３Ａと回転部材３０Ａとの間には、回転させた回転部材３０Ａの位置を保持する機構が設けられている（図示略）。また、回転部材３０Ａの厚さは溝１３Ａの深さと同程度である。
【００４４】
第１固定部２０Ａ１は、湾曲しているブロック状部材である。第１固定部２０Ａ１は、例えば、コルクや硬めのスポンジゴムなど、あまり伸縮せず、適度な硬度と摩擦性能を有する柔軟な素材により形成される。第１固定部２０Ａ１は、胴部１１Ａの軸周りの方向に複数個並べられている。具体的には、第１固定部２０Ａ１は、胴部１１Ａの軸周りの方向の９０度毎に各々配置されている。そして、第１固定部２０Ａ１は、その凸曲面が外側になるようにして回転部材３０Ａの外壁に固定されている。隣り合う第１固定部２０Ａ１同士は互いに接触していない。
【００４５】
第２固定部２０Ａ２は、第１固定部２０Ａ１と同様の形状をしており、同様な素材により形成されている。また、第２固定部２０Ａ２は、第１固定部２０Ａ１と同様に、胴部１１Ａの軸周りの方向に複数個並べられている。具体的には、第２固定部２０Ａ２は、胴部１１Ａの軸周りの方向の９０度毎に各々配置されており、その凸曲面が外側になるようにして胴部１１Ａの溝１３Ａと小径側端１１Ａｂとの間の胴部１１Ａの外壁に固定されている。また、隣り合う第２固定部２０Ａ２同士は互いに接触していない。なお、第１固定部２０Ａ１および第２固定部２０Ａ２は、胴部１１Ａの軸周りの方向の９０度毎に４個設けられているが、第１固定部２０Ａ１および第２固定部２０Ａ２の各々の数およびそれらの配置はこれに限られない。
【００４６】
第１固定部２０Ａ１と第２固定部２０Ａ２とは、互いに分離しており、かつ、胴部１１Ａの軸方向に互いに隣接している。より詳細には、第２固定部２０Ａ２における胴部１１Ａの大径側端１１Ａａ側の側面が、第１固定部２０Ａ１における胴部１１Ａの小径側端１１Ａｂ側の側面に当接している。また、第２固定部２０Ａ２における胴部１１Ａの大径側端１１Ａａ側の端部の胴部１１Ａの軸周りの方向の長さ（すなわち、第２固定部２０Ａ２の大径側端１１Ａａ側の端部における第２固定部２０Ａ２の幅）は、第１固定部２０Ａ１における胴部１１Ａの小径側端１１Ａｂ側の端部の胴部１１Ａの軸周りの方向の長さ（すなわち、第１固定部２０Ａ１の小径側端１１Ａｂ側の端部における第１固定部２０Ａ１の幅）と同程度になっている。また、第２固定部２０Ａ２における胴部１１Ａの軸から遠ざかる方向の長さ（第２固定部２０Ａ２の高さ）と、第１固定部２０Ａ１における胴部１１Ａの軸から遠ざかる方向の長さ（第１固定部２０Ａ１の高さ）は、同程度である。
【００４７】
第１固定部２０Ａ１は、回転部材３０Ａに固定されているため、回転部材３０Ａの回転に伴い、胴部１１Ａの軸周りの方向に移動する。一方、第２固定部２０Ａ２は、胴部１１Ａに固定されているため、回転部材３０Ａを回転させても移動しない。このため、本実施形態による消音器１Ａは、各第２固定部２０Ａ２の位置（角度）に対して各第１固定部２０Ａ１の位置（角度）を胴部１１Ａの軸周りの回転方向にずらすことができる。これは、第１固定部２０Ａ１と第２固定部２０Ａ２とからなる固定部２０Ａにおける胴部１１Ａの軸周りの方向の長さを変えることと等価である。ユーザは、回転部材３０Ａを回転させて第２固定部２０Ａ２に対して第１固定部２０Ａ１をずらしてから消音器１Ａをトランペットに装着する。
【００４８】
消音器１Ａをトランペットに装着した場合、第１固定部２０Ａ１の外壁と第２固定部２０Ａ２の外壁の各々はベルの内壁に当接され、第１固定部２０Ａ１および第２固定部２０Ａ２は本体部１０Ａとベルとの間を閉塞させる。このとき、隣り合う第１固定部２０Ａ１と回転部材３０Ａとベルとにより隙間が形成され、かつ、隣り合う第２固定部２０Ａ２と本体部１０Ａとベルとにより隙間が形成される。消音器１Ａを装着して吹奏したときのベル内に生じる音は、第２固定部２０Ａ２により形成される隙間を通り、その後、第１固定部２０Ａ１により形成される隙間を通って消音器１Ａ外へ放音される。
【００４９】
図４（Ａ）および（Ｂ）は、後方から消音器１Ａを見たとき、第１固定部２０Ａ１の位置（角度）と第２固定部２０Ａ２の位置（角度）とが重なっている状態を示している。このとき、第２固定部２０Ａ２における胴部１１Ａの軸周りの方向の側面は、第１固定部２０Ａ１における胴部１１Ａの軸周りの方向の側面に連続している。この状態の消音器１Ａをトランペットに装着して後方から消音器１Ａを見た場合、第１固定部２０Ａ１と回転部材３０Ａとベルとにより形成される隙間と、第２固定部２０Ａ２と胴部１１Ａとベルとにより形成される隙間とが重なる。この場合、第２固定部２０Ａ２により形成される隙間と第１固定部２０Ａ１により形成される隙間との境界において、第２固定部２０Ａ２により形成される隙間から第１固定部２０Ａ１により形成される隙間へ進んでもそれらの隙間の断面積は変わらない。すなわち、放音される音が通過する隙間の断面積は、固定部２０Ａにおける胴部１１Ａの軸方向の途中の位置において小さくならない。従って、この隙間を通過する音が少なくならないため、大きな音量の音が消音器１Ａ外に放音される。換言すると、この場合、消音器１Ａの弱音の度合いは小さくなる。
【００５０】
一方、図４（Ｃ）および（Ｄ）は、後方から消音器１Ａを見たとき、第２固定部２０Ａ２の位置（角度）に対して第１固定部２０Ａ１の位置（角度）が、反時計回り方向にずれている状態を示している。このとき、第２固定部２０Ａ２における胴部１１Ａの軸周りの方向の側面は、第１固定部２０Ａ１における胴部１１Ａの軸周りの方向の側面に連続していない。この状態の消音器１Ａをトランペットに装着して後方から消音器１Ａを見た場合、第２固定部２０Ａ２と胴部１１Ａとベルとにより形成される隙間の位置に対して第１固定部２０Ａ１と回転部材３０Ａとベルとにより形成される隙間の位置が、胴部１１Ａの軸周りの回転方向（図４（Ｃ）および（Ｄ）の場合は反時計回り方向）にずれる。この場合、第２固定部２０Ａ２により形成される隙間を通って第１固定部２０Ａ１により形成される隙間に入る音の一部は、第２固定部２０Ａ２と第１固定部２０Ａ１との境界において、第１固定部２０Ａ１における胴部１１Ａの小径側端１１Ａｂ側の側面に当たる。すなわち、第２固定部２０Ａ２と第１固定部２０Ａ１との境界において、消音器１Ａ外に放音される音が通過する領域は、第２固定部２０Ａ２と第１固定部２０Ａ１と胴部１１Ａ（または回転部材３０Ａ）とベルとにより形成される隙間となる。この部分の隙間の断面積は、第１固定部２０Ａ１により形成される隙間の断面積または第２固定部２０Ａ２により形成される隙間の断面積よりも小さくなる。すなわち、放音される音が通過する隙間の断面積は、固定部２０Ａにおける胴部１１Ａの軸方向の途中の位置において小さくなる。従って、この隙間を通過する音が少なくなるため、小さな音量の音が消音器１Ａ外に放音されることになる。換言すると、この場合、消音器１Ａの弱音の度合いは大きくなる。
【００５１】
第２固定部２０Ａ２に対して第１固定部２０Ａ１を胴部１１Ａの軸周りの方向にずらす度合いを大きくするに従って、第２固定部２０Ａ２と第１固定部２０Ａ１との境界における第２固定部２０Ａ２と第１固定部２０Ａ１と胴部１１Ａ（または回転部材３０Ａ）とベルとにより形成される隙間の断面積が小さくなり、消音器１Ａ外に放音される音量が小さくなり、消音器１Ａの弱音の度合いが大きくなる。また、第２固定部２０Ａ２に対して第１固定部２０Ａ１を胴部１１Ａの軸周りの方向にずらす度合いを小さくするに従って、同隙間の断面積が大きくなり、消音器１Ａ外に放音される音量が大きくなり、消音器１Ａの弱音の度合いが小さくなる。
【００５２】
このように、回転部材３０を回転させることにより、第２固定部２０Ａ２に対して第１固定部２０Ａ１が回転方向にずれるため、ベル内の空間とベル外の空間とを連通させる隙間の断面積を変化させることができる。すなわち、回転部材３０は、その隙間の断面積を変える断面積可変手段である。
【００５３】
従って、本実施形態においても、第１実施形態と同様の効果を奏する。
【００５４】
なお、第１固定部２０Ａ１と第２固定部２０Ａ２とにより胴部１１Ａの軸の周りに亙って完全に本体部１０Ａとベルとの間を閉塞しないように、回転部材３０Ａの回転可能範囲を制限する機構を設けても良い。
【００５５】
また、第１固定部２０Ａ１の位置を第２固定部２０Ａ２の位置に対して後方から消音器１Ａを見たときにおける反時計回り方向にずらした場合について例示したが、第１固定部２０Ａ１の位置を第２固定部２０Ａ２の位置に対して後方から消音器１Ａを見たときにおける時計回り方向にずらすようにしても勿論良い。
【００５６】
＜第３実施形態＞
図５（Ａ）および（Ｃ）は、この発明の第３実施形態による消音器１Ｂの構成を示す側面図であり、図５（Ｂ）および（Ｄ）は、後方から同消音器１Ｂを見たときの同消音器１Ｂの構成を示す背面図である。本実施形態による消音器１Ｂは、本体部１０に代えて本体部１０Ｂとし（より具体的には、胴部１１に代えて胴部１１Ｂとし）、回転部材３０および固定部２０に代えて固定部２０Ｂを設けた点において第１実施形態による消音器１と異なる。本実施形態による消音器１Ｂは、胴部１１Ｂの外壁に沿って胴部１１Ｂの前後方向に固定部２０Ｂを移動可能にしたものである。
【００５７】
本体部１０Ｂの胴部１１Ｂは、第１実施形態による本体部１０の胴部１１と同様にして、前端から後端に向かって外径が縮径されている。胴部１１Ｂは、小径側端１１Ｂｂに溝１３および１４を有していない点で第１実施形態による消音器１の胴部１１と異なる。
【００５８】
固定部２０Ｂは、固定部本体２０Ｂａと伸縮部材２０Ｂｂとから構成されている。伸縮部材２０Ｂｂは、薄肉の筒状をなしている。伸縮部材２０Ｂｂは、例えば、ゴムなどの伸縮性を有する柔軟な素材により形成される。伸縮部材２０Ｂｂの軸方向の長さは、胴部１１Ｂの軸方向の長さよりも短くなっている。また、伸縮部材２０Ｂｂの内径は、胴部１１Ｂの外径よりも小さくなっている。
【００５９】
固定部２０Ｂの固定部本体２０Ｂａは、湾曲したブロック状部材である。固定部本体２０Ｂａは、コルクや硬めのスポンジゴムなど、あまり伸縮せず、適度な硬度と摩擦性能を有する柔軟な素材により形成される。固定部本体２０Ｂａは、伸縮部材２０Ｂｂの軸周りの方向の１２０度毎に各々配置されている。すなわち、固定部本体２０Ｂａは、本体部１０Ｂの軸周りの方向に並べられている。そして、固定部本体２０Ｂａは、その凸曲面が外側になるようにして伸縮部材２０Ｂｂの外壁に固定されている。すなわち、各固定部本体２０Ｂａ間に伸縮部材２０Ｂｂが設けられており、伸縮部材２０Ｂｂは、各固定部本体２０Ｂａを環状に連結している。また、隣り合う固定部本体２０Ｂａ同士は互いに接触していない。また、固定部本体２０Ｂａにおける伸縮部材２０Ｂｂの軸方向の長さは、伸縮部材２０Ｂｂにおける伸縮部材２０Ｂｂの軸方向の長さと同程度である。なお、固定部本体２０Ｂａは、伸縮部材２０Ｂｂの軸周りの方向の１２０度毎に３個設けられているが、固定部本体２０Ｂａの数および配置はこれに限られない。
【００６０】
固定部本体２０Ｂａはあまり伸縮しない素材により形成されているため、伸縮部材２０Ｂｂにおいて固定部本体２０Ｂａが固定されている部分はあまり伸縮しない。一方、伸縮部材２０Ｂｂにおける固定部本体２０Ｂａが固定されていない部分は、伸縮部材２０Ｂｂの軸周りの方向に伸縮可能である。このため、伸縮部材２０Ｂｂは、その内径を自在に変えることができる。
【００６１】
本実施形態による消音器１Ｂの固定部２０Ｂは、本体部１０Ｂから分離している。そのため、固定部２０Ｂは、本体部１０Ｂに取り付けられる。より詳細に説明すると、伸縮部材２０Ｂｂ内には、胴部１１Ｂが小径側端１１Ｂｂ側から挿入される。このとき、伸縮部材２０Ｂｂにおける固定部本体２０Ｂａが固定されていない部分が伸縮部材２０Ｂｂの軸周りの方向に伸びて、伸縮部材２０Ｂｂ内に胴部１１Ｂが挿入される。そして、この伸びた部分に生じる伸縮部材２０Ｂｂの軸周りの方向に縮もうとする力により、伸縮部材２０Ｂｂは、胴部１１Ｂを外側から締め付ける。これにより、固定部２０Ｂ（換言すると、固定部本体２０Ｂａ）は、胴部１１Ｂの外壁上に保持される。なお、伸縮部材２０Ｂｂの内壁に細かい凹凸を形成する等により伸縮部材２０Ｂｂの内壁と胴部１１Ｂの外壁との間の摩擦を大きくし、より確実に固定部２０Ｂが胴部１１Ｂの外壁上に保持されるようにしても良い。
【００６２】
また、伸縮部材２０Ｂｂは、本体部１０Ｂと分離しておりその内径を変えることができるため、固定部２０Ｂ（換言すると、固定部本体２０Ｂａ）は、胴部１１Ｂの外壁に沿って胴部１１Ｂの軸方向に移動可能である。そして、固定部２０Ｂは、胴部１１Ｂの外壁上における胴部１１Ｂの軸方向の各位置に保持され得る。ユーザは、固定部２０Ｂを胴部１１Ｂの軸方向に移動させて、その固定部２０Ｂを胴部１１Ｂの外壁上における胴部１１Ｂの軸方向の所望の位置に取り付けてから消音器１Ｂをトランペットに装着する。
【００６３】
消音器１Ｂをトランペットに装着した場合、固定部本体２０Ｂａの外壁はベルの内壁に当接し、固定部本体２０Ｂａは本体１０Ｂとベルとの間を閉塞させる。このとき、隣り合う固定部本体２０Ｂａと伸縮部２０Ｂｂとベルとにより隙間が形成される。消音器１Ｂを装着して吹奏したときにベル内に生じる音は、この隙間を介して消音器１Ｂ外に放音される。
【００６４】
ここで、図５（Ａ）および（Ｂ）に示すように、固定部２０Ｂを小径側端１１Ｂｂ近傍に取り付けた場合、胴部１１Ｂの外径が小さいため、伸縮部材２０Ｂｂにおける固定部本体２０Ｂａが固定されていない部分の伸び量は少なくなる。この場合、各固定部本体２０Ｂａの間隔は狭くなる。このため、この状態の消音器１Ｂをトランペットに装着した場合、隣り合う固定部本体２０Ｂａと伸縮部材２０Ｂｂとベルとにより形成される隙間の断面積は小さくなる。従って、この隙間を通過する音が少なくなるため、小さな音量の音が消音器１Ｂ外に放音されることになる。換言すると、この場合、消音器１Ｂの弱音の度合いは大きくなる。
【００６５】
一方、図５（Ｃ）および（Ｄ）に示すように、固定部２０Ｂを胴部１１Ｂの中央付近に取り付けた場合、中央近傍における胴部１１Ｂの外径が小径側端１１Ｂｂにおける胴部１１Ｂの外径よりも大きいため、伸縮部材２０Ｂｂにおける固定部本体２０Ｂａが固定されていない部分の伸び量は、固定部２０Ｂを小径側端１１Ｂｂ近傍に取り付けた場合における同部分の伸び量よりも大きくなる。この場合、各固定部本体２０Ｂａの間隔は広くなる。このため、この状態の消音器１Ｂをトランペットに装着した場合、隣り合う固定部本体２０Ｂａと伸縮部材２０Ｂｂとベルとにより形成される隙間の断面積は大きくなる。従って、この隙間を通過する音が多くなるため、大きな音量の音が消音器１Ｂ外に放音されることになる。換言すると、この場合、消音器１Ｂの弱音の度合いは小さくなる。
【００６６】
固定部２０Ｂを取り付ける位置を胴部１１Ｂの小径側端１１Ｂｂに近づけるに従って、消音器１Ｂを装着したときにおける隣り合う固定部本体２０Ｂａと伸縮部材２０Ｂｂとベルとの間の隙間の断面積が小さくなり、消音器１Ｂ外に放音される音量が小さくなり、消音器１Ｂの弱音の度合いが大きくなる。また、固定部２０Ｂを取り付ける位置を胴部１１Ｂの大径側端１１Ｂａに近づけるに従って、同隙間の断面積が大きくなり、消音器１Ｂ外に放音される音量が大きくなり、消音器１Ｂの弱音の度合いが小さくなる。
【００６７】
このように、伸縮部材２０Ｂｂに固定されている固定部本体２０Ｂａを胴部１１Ｂの外壁に沿って胴部１１Ｂの軸方向に移動させることにより、伸縮部材２０Ｂｂが胴部１１Ｂの軸周りの方向に伸縮して、ベル内の空間とベル外の空間とを連通させる隙間の断面積を変化させることができる。すなわち、伸縮部材２０Ｂｂは、その隙間の断面積を変える断面積可変手段である。
【００６８】
従って、本実施形態においても、第１実施形態と同様の効果を奏する。
【００６９】
なお、固定部２０Ｂの位置を胴部１１Ｂの軸方向に移動させたとしても、消音器１Ｂを装着したときにおけるベルの位置に対する本体部１０Ｂの位置は変わらない。胴部１１Ｂの外径が大径側端１１Ｂａから小径側端１１Ｂｂに向かってベルの内壁に沿って小さくなっているからである。
【００７０】
＜第４実施形態＞
図６（Ａ）は、この発明の第４実施形態による消音器１Ｃの本体部１０Ｃの構成を示す側面図であり、図６（Ｂ）〜（Ｄ）は、同消音器１Ｃの本体部１０Ｃに固定部２０Ｃを取り付けたときの背面図であり、図６（Ｅ）〜（Ｇ）は、本体部１０Ｃに取り付ける固定部２０Ｃの構成を示す上面図である。本実施形態による消音器１Ｃは、本体部１０に代えて本体部１０Ｃとし（より具体的には胴部１１に代えて胴部１１Ｃとし）、回転部材３０および固定部２０に代えて固定部２０Ｃとした点において第１実施形態による消音器１と異なる。本実施形態による消音器１Ｃは、本体部１０Ｃに対して固定部２０Ｃを着脱可能とし、複数種類用意された固定部２０Ｃの中から本体部１０Ｃに取り付ける固定部２０Ｃをユーザが選択して、固定部２０Ｃをユーザが付け換えるようにしたものである。
【００７１】
本体部１０Ｃの胴部１１Ｃは、溝１３および１４に代えて結合部４０Ｃを有する点において第１実施形態による消音器１の胴部１１と異なる。
【００７２】
結合部４０Ｃは、小径側端１１Ｃｂ近傍の胴部１１Ｃの外壁に設けられている。この結合部４０Ｃは、胴部１１Ｃの軸の周りに亙って設けられている。結合部４０Ｃは、例えば、面ファスナーの一方である。より具体的には、フック側部材とループ側部材とからなる面ファスナーを用いた場合、ループ側部材を結合部４０Ｃとして用いれば良い。そのループ側部材は、ループが設けられている面が外側になるように胴部１１Ｃの外壁に固定される。
【００７３】
固定部２０Ｃは、本体部１０Ｃから分離している。固定部２０Ｃは、固定部本体２０Ｃａとベース２０Ｃｂとから構成されている。ベース２０Ｃｂは、扇状をなしている。ベース２０Ｃｂは、例えば、布などの柔軟であまり伸縮しない素材により形成される。ベース２０Ｃｂの下面には、胴部１１Ｃに設けられている結合部４０Ｃに対応する結合部が設けられている（図示略）。このベース２０Ｃｂに設けられている結合部は、例えば、面ファスナーの他方である。より具体的には、胴部１１Ｃの結合部４０Ｃにループ側部材を用いた場合、そのループ側部材に対応するフック側部材をベース２０Ｃｂの結合部として用いれば良い。そのフック側部材は、フックが設けられている面が外側になるようにベース２０Ｃｂの下面に固定される。
【００７４】
本実施形態による消音器１Ｃでは、ベース２０Ｃｂの結合部を胴部１１Ｃの結合部４０Ｃに結合させることにより、固定部２０Ｃを本体１０Ｃに取り付けることができるとともに、ベース２０Ｃｂの結合部を胴部１１Ｃの結合部４０Ｃから引き剥がすことにより、固定部２０Ｃを本体部１０Ｃから取り外すことができる。このとき、固定部２０Ｃは、ベース２０Ｃｂにおける短い円弧部分が胴部１１Ｃの小径側端１１Ｃｂに重なるように、本体部１０Ｃに取り付けられる。
【００７５】
ベース２０Ｃｂの上面には複数の固定部本体２０Ｃａが設けられている。すなわち、ベース２０Ｃｂは、固定部本体２０Ｃａの各々を連結している。固定部本体２０Ｃａは、湾曲しているブロック状部材である。固定部本体２０Ｃａは、例えば、コルクやスポンジゴムなどの適度な高度と摩擦性を有する素材から構成されている。固定部本体２０Ｃａは、固定部２０Ｃを本体部１０Ｃに取り付けたときに、固定部本体２０Ｃが胴部１１Ｃの外壁に沿うように湾曲しており、凸曲面が外側になるようにベース２０Ｃｂに固定されている。また、固定部本体２０Ｃａは、固定部２０Ｃを本体部１０Ｃに取り付けたときに、各固定部本体２０Ｃａが胴部１１Ｃの軸周りの方向に並べられるようにベース２０Ｃｂに固定されている。例えば、各固定部本体２０Ｃａは、胴部１１Ｃの軸周りの方向の１２０度毎に配置されている。
【００７６】
本実施形態による消音器１Ｃでは、各固定部本体２０Ｃａの間隔が異なる複数種の固定部２０Ｃが用意されている。換言すると、固定部本体２０Ｃａにおけるベース２０Ｃｂの円弧方向の長さ（すなわち、固定部本体２０Ｃａの幅）が異なる複数の固定部２０Ｃが用意されている。図６（Ｅ）は、各固定部本体２０Ｃａの間隔が広い固定部２０Ｃを示しており、図６（Ｇ）は、各固定部本体２０Ｃａの間隔が狭い固定部２０Ｃを示しており、図６（Ｆ）は、各固定部本体２０Ｃａの間隔が図６（Ｅ）の同間隔よりも狭く図６（Ｇ）の同間隔よりも広い中程度の固定部２０Ｃを示している。本実施形態による消音器１Ｃでは、これら複数用意された固定部２０Ｃの中から所望の音量を得ることができる固定部２０Ｃをユーザが選択して本体部１０Ｃに取り付けることになっている。図６（Ｂ）は、図６（Ｅ）に示す固定部２０Ｃを本体部１０Ｃに取り付けた場合を示し、図６（Ｃ）は、図６（Ｆ）に示す固定部２０Ｃを本体部１０Ｃに取り付けた場合を示し、図６（Ｄ）は、図６（Ｇ）に示す固定部２０Ｃを本体部１０Ｃに取り付けた場合を示す。そして、ユーザは、固定部２０Ｃを本体部１０Ｃに取り付けた状態で消音器１Ｃをトランペットに装着する。
【００７７】
消音器１Ｃを装着した場合、固定部２０Ｃの固定部本体２０Ｃａは、本体部１０Ｃとベルとの間を閉塞させる。ここで、各固定部本体２０Ｃａの間隔が広い固定部２０Ｃ（図６（Ｅ））を本体部１０Ｃに取り付けた消音器１Ｃ（図６（Ｂ））をトランペットに装着した場合、隣り合う固定部本体２０Ｃａとベース２０Ｃｂとベルとにより形成される隙間の断面積は大きくなる。従って、この場合、この隙間を通って消音器１Ｃ外に放音される音量は大きくなり、弱音の度合いは小さくなる。
【００７８】
また、各固定部本体２０Ｃａの間隔が狭い固定部２０Ｃ（図６（Ｇ））を本体部１０Ｃに取り付けた消音器１Ｃ（図６（Ｄ））をトランペットに装着した場合、隣り合う固定部本体２０Ｃａとベース２０Ｃｂとベルとにより形成される隙間の断面積は小さくなる。従って、この場合、この隙間を通って消音器１Ｃ外に放音される音量は小さくなり、弱音の度合いは大きくなる。
【００７９】
また、各固定部本体２０Ｃａの間隔が中程度の固定部２０Ｃ（図６（Ｆ））を本体部１０Ｃに取り付けた消音器１Ｃ（図６（Ｃ））をトランペットに装着した場合、隣り合う固定部本体２０Ｃａとベース２０Ｃｂとベルとにより形成される隙間の断面積は、各固定部本体２０Ｃａの間隔が広い固定部２０Ｃを取り付けて装着したときの同隙間の断面積よりも小さく、各固定部本体２０Ｃａの間隔が狭い固定部２０Ｃを取り付けて装着したときの同隙間の断面積よりも大きい、中程度になる。従って、この場合、この隙間を通って消音器１Ｃ外に放音される音量は中程度になり、弱音の度合いは中程度になる。
【００８０】
放音される音量を変える場合は、固定部２０Ｃを付け換える。すなわち、本体部１０Ｃに取り付けられている固定部２０Ｃを取り外し、各固定部本体２０Ｃａの間隔が異なる他の固定部２０Ｃを選択し、新たに選択した固定部２０Ｃを本体部１０Ｃに取り付ける。その後、当該消音器１Ｃをトランペットに装着する。
【００８１】
このように、断面積可変手段として、各固定部本体２０Ｃａの間隔が異なる複数種の固定部２０Ｃが用意されている。そして、複数種の固定部２０Ｃの中から選択した固定部２０Ｃを本体部１０Ｃに取り付けることにより、ベル内の空間とベル外の空間とを連通させる隙間の断面積を変化させることができる。
【００８２】
従って、本実施形態においても、第１実施形態と同様の効果を奏する。
【００８３】
なお、図６では、３種類の固定部２０Ｃを示したが、固定部２０Ｃの種類はこれに限られない。固定部２０Ｃの種類を増やすことにより、ユーザは、放音される音量をより細かく調節することができるからである。
【００８４】
＜他の実施形態＞
以上、この発明の第１〜第４実施形態について説明したが、この発明には他にも実施形態が考えられる。例えば次の通りである。
【００８５】
（１）上記各実施形態では、トランペット用の消音器１〜１Ｃを例に説明したが、トランペット以外の管楽器に用いる消音器においても同様な消音器を設計することができるのは勿論である。
【００８６】
（２）第２実施形態による消音器１Ａでは、胴部１１Ａの小径側端１１Ａｂ近傍に回転しない第２固定部２０Ａ２が設けられており、その第２固定部２０Ａ２の大径側端１１Ａａ側に回転可能な第１固定部２０Ａ１が設けられていた。しかし、胴部１１Ａの小径側端１１Ａｂ近傍に回転可能な第１固定部２０Ａ１を設け、その第１固定部２０Ａ１の大径側端１１Ａａ側に回転しない第２固定部２０Ａ２を設けても良い。この態様においても、第２実施形態と同様の効果を奏する。
【００８７】
（３）上記第３実施形態による消音器１Ｂの固定部２０Ｂは、筒状の伸縮部材２０Ｂｂの外壁に固定部本体２０Ｂａが固定されていた。しかし、固定部本体２０Ｂａの高さよりも低い高さの伸縮部材を固定部本体２０Ｂａの側面に固定するようにし、固定部本体２０Ｂａと伸縮部材とを交互に連結して、環状の固定部を形成しても良い。この態様においても、伸縮部材が胴部１１Ｂの軸周りの方向に伸縮することで各固定部本体２０Ｂの間隔が変わるため、第３実施形態と同様の効果を奏する。
【００８８】
（４）上記第３実施形態による消音器１Ｂでは、伸縮する伸縮部材２０Ｂｂを用いてその内径を変えることにより胴部１１Ｂの軸方向に固定部２０Ｂを移動可能としていた。しかし、伸縮部材２０Ｂｂを設けずに、胴部１１Ｂの外壁上において胴部１１Ｂの軸方向に固定部本体２０Ｂａを移動可能としても良い。例えば、胴部１１Ｂの外壁上に胴部１１Ｂの前後方向に沿った窪みを設け、固定部本体２０Ｂａにその窪みに収容されてその窪みに沿って摺動可能な突起を設けるという態様が挙げられる。このような態様においても、固定部本体２０Ｂａを胴部２０Ｂａの軸方向に移動することができるため、第３実施形態と同様の効果を奏する。
【００８９】
（５）上記第４実施形態による消音器１Ｃでは、面ファスナーを用いて固定部２０Ｃを本体部１０Ｃに取り付けていた。しかし、固定部２０Ｃを本体部１０Ｃに取り付ける手段は面ファスナーに限られない。本体部１０Ｃに対して固定部２０Ｃが着脱可能であれば良いからである。例えば、磁石により固定部２０Ｃを本体部１０Ｃに取り付けても良いし、突起と窪みによる嵌め合わせにより固定部２０Ｃを本体部１０Ｃに取り付けても良い。
【００９０】
（６）上記第４実施形態による消音器１Ｃでは、胴部１１Ｃの外壁に設けられた結合部４０Ｃに固定部２０Ｃを取り付けていた。しかし、固定部２０Ｃが固定されている小径側端１１Ｃｂ側の胴部１１Ｃ自体を本体部１０Ｃ（すなわち当該胴部１１Ｃの他の部分）から分離可能としても良い。この場合、固定部本体２０Ｃａの幅が異なる小径側端１１Ｃｂ側の胴部１１Ｃが複数用意される。そして、小径側端１１Ｃｂ側の胴部１１Ｃ自体を付け換えることにより放音される音量を調節する。この態様においても、第４実施形態と同様の効果を奏する。
【符号の説明】
【００９１】
１，１Ａ，１Ｂ，１Ｃ…消音器、１０，１０Ａ，１０Ｂ，１０Ｃ…本体部、１１，１１Ａ，１１Ｂ，１１Ｃ…胴部、１１ａ，１１Ａａ，１１Ｂａ，１１Ｃａ…大径側端、１１ｂ，１１Ａｂ，１１Ｂｂ，１１Ｃｂ…小径側端、１２…底部、１２ａ…湾曲部、１２ｂ…筒状部、１３，１４，１３Ａ…溝、１５…通常部、２０，２０Ａ，２０Ｂ，２０Ｃ…固定部、２０Ｂａ，２０Ｃａ…固定部本体、２０Ｂｂ…伸縮部材，２０Ｃｂ…ベース、２０Ａ１…第１固定部、２０Ａ２…第２固定部、２１…本体側部、２２…回転部材側部、２３…連結部、３０，３０Ａ…回転部材、３１…筒状部、３２…羽根部、４０Ｃ…結合部。
【図１】
2015075667.tif 000003
【図２】
2015075667.tif 000004
【図３】
2015075667.tif 000005
【図４】
2015075667.tif 000006
【図５】
2015075667.tif 000007
【図６】
2015075667.tif 000008